(57)【要約】【課題】事業者が保存を求められている重要なイベントデータを確実に取得でき、監視装置に信頼度の高いロギングデータを記録できる冷温装置の監視システムを提供する。【解決手段】冷温装置１に搭載される機器制御装置２は測定データ記録手段３３に記録されている測定データを、通信回線３を介して外部の監視装置４に送信し、監視装置４は受信した測定データを監視装置４の取得データ記録手段３７に記録して、運転状況を監視する監視システムを対象とする。機器制御装置２が、所定時間毎に実施されるサンプリング時の測定データとサンプリング日時とを含むサンプリングデータと、予め設定されたイベントが発生したときの測定データとイベント発生日時とを含むイベントデータとを生成し、測定データ記録手段３３の異なる領域に、生成されたサンプリングデータおよびイベントデータがそれぞれ記録されるように構成されている。【選択図】図１
2019074280.tif 000002
【特許請求の範囲】
【請求項１】
冷温装置（１）に搭載される機器制御装置（２）と、外部の監視装置（４）を備え、
機器制御装置（２）は測定データ記録手段（３３）に記録されている測定データを、通信回線（３）を介して監視装置（４）に送信し、
監視装置（４）は受信した測定データを監視装置（４）の取得データ記録手段（３７）に記録して、前記各装置の運転状況を監視する監視システムであって、
機器制御装置（２）が、所定時間毎に実施されるサンプリング時の測定データとサンプリング日時とを含むサンプリングデータと、予め設定されたイベントが発生したときの測定データとイベント発生日時とを含むイベントデータとを生成し、測定データ記録手段（３３）の異なる記録領域に、生成されたサンプリングデータおよびイベントデータがそれぞれ記録されるように構成されていることを特徴とする冷温装置の監視システム。
【請求項２】
測定データ記録手段（３３）は、異なる記録媒体で構成される第１記録手段（３５）と第２記録手段（３６）とを備えており、
第１記録手段（３５）に、生成されたサンプリングデータが記録され、第２記録手段（３６）に、生成されたイベントデータが記録されるように構成されている請求項１に記載の冷温装置の監視システム。
【請求項３】
機器制御装置（２）が、生成されたサンプリングデータを第１記録手段（３５）に順次上書き記録するように構成されている請求項２に記載の冷温装置の監視システム。
【請求項４】
機器制御装置（２）は、通信回線（３）に通信ユニット（７）を介して接続されており、
通信ユニット（７）が、複数個の機器制御装置（２）が接続可能に構成されている請求項１から３のいずれかひとつに記載の冷温装置の監視システム。
【発明の詳細な説明】
【技術分野】
【０００１】
本発明は、冷温装置の監視システムに関する。冷温装置とは、冷却機能および／または加熱機能を備えた装置を意味し、具体的には、食品に対して冷却処理あるいは加熱処理を行う食品加工装置、あるいは家庭用、業務用、プレハブ型の冷蔵庫、冷凍庫、または温蔵庫、あるいは冷蔵、冷凍、または温蔵のオープンショーケースなどを含む概念である。
【背景技術】
【０００２】
食品衛生管理手法のひとつであるＨＡＣＣＰ（Hazard Analysis and Critical Control Point）が事業者に義務化されつつある。また、同様の食品衛生管理手法として、ＨＡＣＣＰの概念に基づき厚生労働省が定める大量調理施設衛生管理マニュアルやクックチルと称される調理規定があり、当該調理規定に基づいて食品の調理や保存を行うことが推奨されている。事業者は、これらの食品衛生管理手法を満たすように、食品加工装置において適正に食品が加工されたかどうか、あるいは定温貯蔵装置において適正に食品が保管されていたかどうかを記録として保存することを求められている。具体的には、例えば食品加工装置においては、食品の芯温や加熱および冷却時間について規定があり、これら規定を満たすように食品が加工されたことを証明するデータを記録しておく必要がある。
【０００３】
本発明に係る監視システムでは、冷温装置に搭載される機器制御装置の測定データを外部の監視装置に送信して、送信された測定データを監視装置側で記録して各装置の運転状況を監視するが、この種の監視システムは特許文献１に開示されている。特許文献１では、監視処理装置（監視装置）と、調理装置あるいは貯蔵設備に設けられる食品温度記録装置（機器制御装置）とで食品温度集中管理装置が構成されており、両者は有線通信回線（通信回線）を介して接続されている。食品温度記録装置は、サンプリング間隔毎に温度センサで検知した温度データをサンプリング時間と関連付け、測定データとしてＳ−ＲＡＭ（測定データ記録手段）に記憶する。監視装置は予め設定されたサンプリング時刻になると、機器制御装置に対して測定データの送信要求を行い、送信要求を受信した機器制御装置は、記録されている測定データを監視装置に送信する。監視装置は、受信した測定データを記憶手段（取得データ記録手段）にロギングデータとして記録している。
【先行技術文献】
【特許文献】
【０００４】
【特許文献１】特開２００２−３９８６９号公報
【発明の概要】
【発明が解決しようとする課題】
【０００５】
例えば食品加工装置においては、加工の開始時および終了時や処理される食品の芯温が所定の温度に到達した時、定温貯蔵装置においては、庫内温度が異常低温あるいは異常高温になった時など、特定条件（以下、このような特定条件を「イベント」と言う）の発生時の日時と測定データ（イベントデータ）を記録として保存することが求められている。特許文献１の食品温度集中管理装置では、サンプリング間隔毎に測定データを測定データ記録手段に記憶するので、サンプリング時とイベント発生のタイミングが一致しない限りイベントが発生した正確な日時やその際の庫内温度などの測定データを記録することができない不具合があり、ロギングデータの信頼度が低下してしまう。このような不具合は、サンプリング間隔を極めて短くして複数のサンプリングデータを記録することである程度解消することができる。しかし、サンプリング間隔が短い分、監視装置の取得データ記録手段に膨大な量のロギングデータが記録されることになり、該ロギングデータの管理が煩雑化するのを避けられない。また、ロギングデータの容量が大きくなる分、高速かつ大容量の取得データ記録手段を搭載する必要があり、システム全体のコストが上昇する不利もある。
【０００６】
また、特許文献１の食品温度集中管理装置では、通信回線あるいは監視装置に障害が生じた場合には、測定データ記録手段に記録されている測定データを監視装置に対して送信できない。この種の食品温度記録装置においては、測定データ記録手段に新規の測定データの記録領域が残っていない場合には、最古の測定データ記録領域に新規の測定データが上書き記録される、あるいは新規の測定データの記録が停止される。そのため、前述のような障害の回復に時間を要したとき、前者の場合には、保存しておくべき重要なイベントデータが上書きされ消失するおそれがある。また、後者の場合には、新規の測定データが記録されず消失してしまう。消失したイベントデータは、ロギングデータに記録することができず、ロギングデータの信頼度の低下を招く。
【０００７】
本発明の目的は、事業者が保存を求められている重要なイベントデータを確実に取得でき、監視装置に信頼度の高いロギングデータを記録できる冷温装置の監視システムを提供することにある。
本発明の目的は、通信回線あるいは監視装置に障害が生じた場合でも、障害回復後にイベント発生時の重要なイベントデータを確実に監視装置へと送信して、重要なイベントデータが消失することのない信頼性に優れた冷温装置の監視システムを提供することにある。
【課題を解決するための手段】
【０００８】
本発明は、冷温装置１に搭載される機器制御装置２と、外部の監視装置４を備え、機器制御装置２は測定データ記録手段３３に記録されている測定データを、通信回線３を介して監視装置４に送信し、監視装置４は受信した測定データを監視装置４の取得データ記録手段３７に記録して、前記各装置の運転状況を監視する監視システムを対象とする。機器制御装置２が、所定時間毎に実施されるサンプリング時の測定データとサンプリング日時とを含むサンプリングデータと、予め設定されたイベントが発生したときの測定データとイベント発生日時とを含むイベントデータとを生成し、測定データ記録手段３３の異なる記録領域に、生成されたサンプリングデータおよびイベントデータがそれぞれ記録されるように構成されていることを特徴とする。
【０００９】
測定データ記録手段３３は、異なる記録媒体で構成される第１記録手段３５と第２記録手段３６とを備える。第１記録手段３５に、生成されたサンプリングデータが記録され、第２記録手段３６に、生成されたイベントデータが記録されるように構成する。
【００１０】
機器制御装置２は、生成されたサンプリングデータを第１記録手段３５に順次上書き記録するように構成する。
【００１１】
機器制御装置２は、通信回線３に通信ユニット７を介して接続し、通信ユニット７を、複数個の機器制御装置２が接続可能に構成する。
【発明の効果】
【００１２】
本発明に係る冷温装置の監視システムにおいては、所定時間毎に実施されるサンプリング時の測定データとサンプリング日時とを含むサンプリングデータと、予め設定されたイベントが発生したときの測定データとイベント発生日時とを含むイベントデータとを生成するように機器制御装置２を構成した。こうした機器制御装置２によれば、サンプリング間隔を短くして複数のサンプリングデータを記録する必要もなく、イベントが発生した正確な日時とその時点における測定データが含まれるイベントデータを測定データ記録手段３３に記録できる。
【００１３】
加えて、サンプリングデータおよびイベントデータを、測定データ記録手段３３の異なる記録領域にそれぞれ記録するように機器制御装置２を構成した。こうした機器制御装置２によれば、頻繁に生成されるサンプリングデータでイベントデータが上書きされるのを回避して、重要なイベントデータが消失するのを防止できる。また、通信回線３や監視装置４に何らかの障害が生じ、測定データ記録手段３３に記録されている各データが監視装置４へ送信できない状態においても、サンプリングデータおよびイベントデータが生成される都度、測定データ記録手段３３にそれぞれ記録される。そのため、障害が回復したのち、測定データ記録手段３３に記録されているサンプリングデータおよびイベントデータを、通信回線３を介して監視装置４へ送信することで、監視装置４は、保存を求められている重要なイベントデータを確実に取得できる。以上のように、本発明によれば、事業者が保存を求められている重要なイベントデータを確実に取得でき、監視装置４に信頼度の高いロギングデータを記録できる。
【００１４】
測定データ記録手段３３は、異なる記録媒体で構成される第１記録手段３５と第２記録手段３６とを備え、第１記録手段３５に、生成されたサンプリングデータが記録され、第２記録手段３６に、生成されたイベントデータが記録されるように構成した。こうした測定データ記録手段３３によれば、サンプリングデータの記録領域とイベントデータの記録領域とを物理的に隔離できるので、サンプリングデータでイベントデータが上書きされることを防止できる。また、イベント発生時に生成されるイベントデータは、サンプリング毎に生成されるサンプリングデータに比べて、生成される頻度が低い。そのため、第１記録手段３５と第２記録手段３６とを異なる記録媒体で構成することで、サンプリングデータによって、イベントデータの記録領域が逼迫するのを防止して、イベントデータを確実に記録できる。以上により、本発明によれば、通信回線３あるいは監視装置４に障害が生じた場合でも、障害回復後にイベント発生時の重要なイベントデータを確実に監視装置４へと送信して、重要なイベントデータが上書きされることのない信頼性に優れた冷温装置の監視システムとすることができる。
【００１５】
生成されたサンプリングデータを第１記録手段３５に順次上書き記録するように機器制御装置２を構成すると、第１記録手段３５は、ひとつのサンプリングデータが記録できればよいので、比較的容量の小さい記録媒体を第１記録手段３５として使用できるので、機器制御装置２のコストを抑え、従って、監視システム全体のコストを抑えることができる。
【００１６】
通信回線３に通信ユニット７を介して機器制御装置２を接続し、通信ユニット７を複数個の機器制御装置２が接続可能に構成すると、ホテル、病院、あるは機内食調理センターの厨房のように、複数の冷温装置１が設置された厨房であっても、複数の冷温装置１を一括して監視装置４で監視できる。従って、監視システム全体のコストを大幅に抑えることができ、また、１箇所で複数の冷温装置１を監視できる分、監視に要する手間を省くことができる。
【図面の簡単な説明】
【００１７】
【図１】本発明に係る冷温装置の監視システムが適用された急速冷却庫の監視システムの概略構成を示すブロック図である。
【図２】急速冷却庫の扉を開放した状態を示す正面図である。
【発明を実施するための形態】
【００１８】
（実施例）  図１および図２に、本発明の冷温装置の監視システムを、食品に対して粗熱取り、急速冷却、あるいは急速凍結などの冷却処理を行う食品加工装置である急速冷却庫（ブラストチラー）の監視システム（以下、単に監視システムと言う）に適用した実施例を示す。図１に示すように監視システムは、急速冷却庫（冷温装置）１に搭載される冷却庫制御装置（機器制御装置）２と、冷却庫制御装置２と通信回線３を介して通信可能に接続される外部の監視装置４とを備えている。冷却庫制御装置２は、通信回線３に通信ユニット７を介して接続されており、通信ユニット７は複数個の冷却庫制御装置２および監視装置４が接続可能に構成されている。通信ユニット７には３台の急速冷却庫１の冷却庫制御装置２が接続されており、冷却庫制御装置２は、通信ユニット７にそれぞれ屋内通信線８を介して通信可能に接続されている。
【００１９】
本実施例における監視装置４は、急速冷却庫１の製造メーカーの管理センターに設置される外部サーバー４Ａと、急速冷却庫１が設置される施設の事務室等に設置されるパーソナルコンピュータからなる端末装置４Ｂとで構成されている。通信ユニット７と外部サーバー４Ａとはインターネット３Ａ（通信回線３）を介して接続されており、通信ユニット７と端末装置４ＢとはＬＡＮケーブル３Ｂ（通信回線３）を介して接続されている。例えば急速冷却庫１がホテルの厨房に設置されている場合には、通信ユニット７および端末装置４Ｂはホテルの厨房事務室に設置される。図１において符号９は、外部サーバー４Ａおよび端末装置４Ｂに記録されているロギングデータを閲覧するためのディスプレイである。なお、監視装置４は、２個に限らず、１個であってもよいし、３個以上設けてもよい。
【００２０】
上記のように、通信回線３に通信ユニット７を介して冷却庫制御装置２を接続し、通信ユニット７を複数個の冷却庫制御装置２が接続可能に構成すると、ホテル、病院、あるは機内食調理センターの厨房のように、複数の急速冷却庫１が設置された厨房であっても、監視装置４で一括して監視できる。従って、監視システム全体のコストを大幅に抑えることができ、また、複数の急速冷却庫１を一括して監視できる分、監視に要する手間を省くことができる。
【００２１】
監視装置４と通信ユニット７とは、互いに相手方の機器状態を監視している。そのため、両者４・７のうちいずれか一方に機器障害が生じていることを他方側で確認できる。また、両者４・７の間で正常に通信が行われない場合には、両者４・７を接続する通信回線３に通信障害が生じていることが確認できる。従って、何らかの障害が発生していることをいち早く察知して障害を早期に復旧させることが可能となる。障害が発生している場合には、監視装置４および通信ユニット７にそれぞれ設けた報知部（図示していない）を駆動して、障害が発生していることを報知する。
【００２２】
図２に示すように、急速冷却庫１は、冷却庫本体１３と、冷却庫本体１３の下方に設けられた機械室１４とで構成される。冷却庫本体１３は、前面開口を有する収納庫１５を備える縦長の断熱箱体からなり、収納庫１５の内部左方に冷却ユニット１６を構成する蒸発器１７、送風ファン１８が配置されている。送風ファン１８から送給された庫内の空気は、蒸発器１７を通過する間の熱交換によって冷却され、図２に向かって蒸発器１７の前後の隙間から右向きに送給されて収納庫１５内を循環する。冷却ユニット１６を構成する圧縮機１９、凝縮器２０、および凝縮器２０を冷却する凝縮器ファン２１は別途設置した外部ユニット内に配置されており、当該外部ユニット内の圧縮機１９および凝縮器２０と、先の蒸発器１７とは冷媒通路を介して接続されている。
【００２３】
冷却庫本体１３の前面開口は、揺動開閉式の扉２４により開閉される。収納庫１５の内部には、左右一対の載置棚部２５が多段状に設けられており、食品を載せたホテルパン２６を左右一対の載置棚部２５に差込み装着することで、収納庫１５内に上下多段状にホテルパン２６を配置することができる。蒸発器１７の空気吸込口側には、熱交換後の庫内空気温度を検知する冷風温度センサ２７が設けられている。また、収納庫１５内には、食品に差し込んで食品の芯温を測定するための複数の芯温センサ２８が設けられている。機械室１４には、冷却庫制御装置２が配置されており、機械室１４の正面壁には、表示部を備えた操作パネル２９が設けられている。これら両センサ２７・２８および操作パネル２９は、冷却庫制御装置２を構成している。なお、図２においては、３個の芯温センサ２８のみ図示している。
【００２４】
図１に示すように冷却庫制御装置２は、冷却ユニット１６を構成する送風ファン１８、圧縮機１９および凝縮器ファン２１などを制御する制御部３２を備えており、該制御部３２が急速冷却庫１全体の動作を制御している。食品の冷却処理時には、まず、一対の載置棚部２５を用いて、食品を収容したホテルパン２６を多段状に配置する。このとき、最上段、最下段、および中間段のホテルパン２６に収容した食品には、それぞれ芯温センサ２８を食品の中心付近にまで差し込んでおく。こののち扉２４を閉鎖して、操作パネル２９で冷却モードを選択し同パネル２９のスタートボタンを押す。これにより、制御部３２は、圧縮機１９および凝縮器ファン２１を運転状態とし、さらに送風ファン１８を駆動して、ホテルパン２６上の食品に冷却処理を行う。
【００２５】
冷却処理を行っている間、制御部３２は所定時間（例えば５０ミリ秒）毎に冷風温度センサ２７および各芯温センサ２８の測定温度をサンプリングし、サンプリング日時を含むサンプリングデータを生成している。生成されたサンプリングデータは冷却庫制御装置２が備える内部記録部（測定データ記録手段）３３に記録される。サンプリングデータにはサンプリング日時、両センサ２７・２８の測定温度に加え、装置毎に付与された識別ＩＤ、当該データのデータＩＤ、現在選択されている冷却モード、冷却モードにおける冷風設定温度、エラーコードなどが含まれる。また、制御部３２は、イベント（特定条件）が発生した場合には、サンプリングのタイミングに関係なく、イベントが発生した時点のイベント発生日時と冷風温度センサ２７および各芯温センサ２８の測定温度とを含むイベントデータを生成している。生成されたイベントデータは内部記録部３３に記録される。なお、サンプリング日時、およびイベント発生日時は、冷却庫制御装置２に搭載された内部時計３４から取得している。
【００２６】
上記のように、所定時間毎に実施されるサンプリング時の測定データとサンプリング日時とを含むサンプリングデータと、予め設定されたイベントが発生したときの測定データとイベント発生日時とを含むイベントデータとを生成するように冷却庫制御装置２を構成した。こうした冷却庫制御装置２によれば、サンプリング間隔を短くして複数のサンプリングデータを記録する必要もなく、イベントが発生した正確な日時とその時点における測定データが含まれるイベントデータを内部記録部３３に記録できる。
【００２７】
大量調理施設衛生管理マニュアルでは、食品の芯温を、加熱調理後３０分以内に２０℃以下または加熱調理後６０分以内に１０℃以下に、クックチルの規定では加熱調理後９０分以内に３℃以下に冷却することが好ましいと定められている。これにより、急速冷却庫１においては、冷却処理が開始された時点（操作パネル２９のスタートボタンが押された時点）、すべての芯温センサ２の測定値が２０℃、１０℃、または３℃に到達した時点、冷却処理が完了した時点（選択された冷却モードにおける一連の処理が完了した時点）、および冷却処理が中断または終了された時点（操作パネル２９のストップボタンが押された時点）の６条件がイベントとして予め設定されている。
【００２８】
内部記録部３３は、異なる記録媒体で構成される第１記録部３５と第２記録部３６とを備えている。第１記録部３５は揮発性メモリからなり、生成されたサンプリングデータが記録される。生成されたサンプリングデータは第１記録部３５に順次上書き記録されるようになっており、第１記録部３５には、常に最新のサンプリングデータのみが記録されている。制御部３２は、選択された冷却モードにかかる一連の冷却処理を制御するうえで、第１記録部３５に記録されたサンプリングデータを参照して急速冷却庫１の制御を行っている。
【００２９】
上記のように、第１記録部３５に生成されたサンプリングデータが順次上書き記録されるように構成すると、サンプリング間隔が短く設定されている冷却庫制御装置２においても、後述するデータ送信指令によって第１記録部３５から監視装置４へ送信されるデータはひとつだけである。従って、監視装置４にいたずらに大きなロギングデータが記録されることを解消でき、該ロギングデータの管理が煩雑化するのを防止できる。また、第１記録部３５は、最新のサンプリングデータのみが記録できればよいので、比較的容量の小さい記録媒体を第１記録手段３５として使用できるので、冷却庫制御装置２のコストを抑え、従って、監視システム全体のコストを抑えることができる。
【００３０】
第２記録部３６は不揮発性メモリからなり、生成されたイベントデータが記録される。イベントデータは、イベント発生時に第１記録部３５に記録されているサンプリングデータより必要な項目が抽出され、これにイベント発生時の日時が付加されて生成され、第２記録部３６に記録される。イベントデータは第２記録部３６の空き領域に記録されるようになっており、第２記録部３６には、複数のイベントデータが記録されている。第２記録部３６を不揮発性メモリで構成すると、例えば冷却処理中の瞬間的な電圧低下により停電状態に陥った場合でも、第２記録部３６に記録されているイベントデータは保持されるので、重要なイベントデータが消失するのを防止できる。なお、本実施例においては、第２記録部３６の空き領域が不足すると、最新のイベントデータが、第２記録部３６に記録されている最も古いイベントデータに上書き記録されるようにした。本実施例におけるイベントは６条件であり、１度の冷却処理時に生成されるイベントデータは６個である。従って、比較的大容量の第２記録部３６を設けなくとも、第２記録部３６の空き領域不足に起因して、上書き記録されることによるイベントデータの消失のおそれはない。
【００３１】
監視システムは、所定時間（例えば６０秒）毎に冷却庫制御装置２の制御部３２に対してデータ送信指令を発信して、監視装置４へのデータ送信を行う。データ送信指令は通信ユニット７から発信されるようになっており、通信ユニット７は、データ送信指令に基づくデータの送受信を行う急速冷却庫１の冷却庫制御装置２とのみ通信を確立し、残る２台の急速冷却庫１の冷却庫制御装置２とは通信を遮断している。データ送信指令にかかる一連の処理が完了すると、通信ユニット７は現在確立されている冷却庫制御装置２と通信を遮断し、次にデータ送信指令を発信する急速冷却庫１の冷却庫制御装置２と通信を確立する。このように、通信ユニット７はローテーションを行いながら対象の冷却庫制御装置２と１対１で通信を行う。
【００３２】
通信ユニット７が発信したデータ送信指令を受信した制御部３２は、指令受信時における、第１記録部３５に記録されているサンプリングデータと、第２記録部３６に記録されているイベントデータを監視装置４へ送信する。送信された各データは通信ユニット７が受信し、インターネット３Ａを介して外部サーバー４Ａに設けられたロギング部（取得データ記録手段）３７Ａ（３７）に記録される。また、ＬＡＮケーブル３Ｂを介して端末装置４Ｂに設けられたロギング部（取得データ記録手段）３７Ｂ（３７）にも記録される。このように、第２記録部３６に記録されているイベントデータは必ずロギング部３７Ａ・３７Ｂに記録される。記録されたロギングデータを参照することにより、冷却処理開始から測定対象のすべての食品の芯温が２０℃、１０℃、３℃に冷却されるまでのそれぞれの経過時間を知ることができ、食品に対して冷却処理が適正に施されたかどうかを確認できる。
【００３３】
ロギング部３７Ａ・３７Ｂに記録されたサンプリングデータ、イベントデータは識別ＩＤ毎に分けて管理され、装置毎のロギングデータが記録される。ロギング部３７Ａ・３７Ｂはハードディスクドライブなどの大容量ストレージで構成される。各データのロギング部３７Ａ・３７Ｂへの記録が完了すると、外部サーバー４Ａおよび端末装置４Ｂは、データ送信指令にかかる一連の処理が完了したことを通知する処理完了通知を通信ユニット７へ発信する。処理完了通知を受信した通信ユニット７は現在の通信を遮断し、次にデータ送信指令を発信する急速冷却庫１の冷却庫制御装置２との通信を確立する。
【００３４】
第２記録部３６は空き領域にイベントデータが記録されるので、第２記録部３６には複数のイベントデータが記録されている。そのため、前回のデータ送信指令で通信ユニット７に送信されたイベントデータは、次回のデータ送信指令においても送信される。監視装置４（４Ａ・４Ｂ）が取得したイベントデータの識別ＩＤおよびデータＩＤが、すでにロギング部３７（３７Ａ・３７Ｂ）に記録されている場合には、受信したイベントデータはロギング部３７へ記録されないよう、監視装置４において重複するイベントデータの重複記録防止処理が自動的に実行される。先に説明したデータ送信指令の際に、第１および第２の記録部３５・３６からイベントデータが送信された場合にも、重複記録防止処理が実行される。
【００３５】
本実施例では、通信ユニット７が発信したデータ送信指令に基づいて、第１および第２の記録部３５・３６に記録されているサンプリングデータおよびイベントデータを、通信回線３を介して監視装置４の取得データ記録手段３７に直接記録するように構成している。監視装置４への記録方式は上記の構成に限らず、例えば通信ユニット７に記録部を設けて、該記録部にサンプリングデータおよびイベントデータを仮保存し、仮保存した複数のデータを一定時間（例えば３０分）毎にまとめて監視装置４の取得データ記録手段３７に記録するようにしてもよい。
【００３６】
また、本実施例では、通信ユニット７に急速冷却庫１が３台接続されているので、例えば６０秒毎に各急速冷却庫１の冷却庫制御装置２にデータ送信指令を発信するようにしている。しかし、先に説明したように通信ユニット７は、ローテーションを行いながら冷却庫制御装置２と１対１で通信を行うので、通信ユニット７に接続される各急速冷却庫１の台数が多くなると、１回のローテーションに要する時間が６０秒を超える場合がある。こうした場合には、データ送信指令の発信タイミングを１回のローテーションに要する時間よりも長い時間に設定すればよい。また、ローテーションによって通信の順番が回ってきた時点をデータ送信指令の発信タイミングとしてもよい。このような場合には、サンプリングデータのサンプリング間隔は大きくなるが、イベントデータは監視装置４へと確実に送信されるので、ロギング部３７に重要なイベントデータを含むロギングデータを記録できる。
【００３７】
本実施例のような監視システムにおいては、監視装置４と通信ユニット７を接続する通信回線３や屋内通信線８に通信障害が発生し、あるいは監視装置４や通信ユニット７に機器障害が発生した場合には、正常なデータの送受信を行うことができない。とくにインターネット３Ａにおいては通信障害が発生しやすく、各データが外部サーバー４Ａへ送信できないことがある。こうした障害が生じ、第１記録部３５および第２記録部３６に記録されている各データが監視装置４へ送信できない状態においても、イベントデータが生成される都度、第２記録部３６にイベントデータが記録されている。そのため、障害が回復すれば第１記録部３５および第２記録部３６に記録されている各データは監視装置４へ送信され、監視装置４は、保存を求められている重要なイベントデータを確実に取得できる。こうした障害が生じた場合でも、ロギングデータから障害継続時のサンプリングデータの欠落は生じるが、事業者が保存を求められている重要なイベントデータは確実に記録できる。
【００３８】
冷却庫制御装置２と通信ユニット７を接続する屋内通信線８に通信障害が生じた場合、通信ユニット７が冷却庫制御装置２へデータ送信指令を発信したとしても、冷却庫制御装置２はデータ送信指令を受信できないため、データ送信指令にかかる一連の処理を実行できない。そのため、通信タイムアウト時間（例えば５００ミリ秒）が設定されており、通信タイムアウト時間を超えても冷却庫制御装置２の応答がないときには、現在の通信を遮断し次にデータ送信指令を発信する急速冷却庫１の冷却庫制御装置２と通信を確立する。さらに、監視装置４および通信ユニット７にそれぞれ設けた報知部（図示していない）を駆動して、特定の屋内通信線８に障害が発生していることを報知する。
【００３９】
上記の実施例においては、監視装置４で重複するイベントデータの重複記録防止処理を自動的に実行するようにした。こうした重複記録防止処理以外に、データ送信指令によって送信されるデータ容量を小さくし、あるいは重複記録防止処理の実行によるロギング部３７への記録の煩雑化を防止するために、ロギング部３７（３７Ａ・３７Ｂ）に記録済のイベントデータを、第２記録部３６から積極的に消去することもできる。具体的には、データ送信指令にかかる一連の処理が完了したときに、外部サーバー４Ａおよび端末装置４Ｂが通信ユニット７へ発信する処理完了通知中に、記録済のイベントデータの識別ＩＤおよびデータＩＤが含まれる消去指令を含めるようにする。消去指令を含む処理完了通知を受信した通信ユニット７は、通信中の冷却庫制御装置２の制御部３２へ消去指令を発信して、制御部３２に消去指令に含まれる識別ＩＤおよびデータＩＤに該当するイベントデータを第２記録部３６から消去させる。通信ユニット７は、消去が確認されたのち冷却庫制御装置２との通信を遮断する。
【００４０】
先の実施例のように、多くのイベントデータを監視装置４へと送信する場合、データ容量が大きくなる分、データの送信に時間を要する。しかし、上記のように、ロギング部３７に記録済のイベントデータを第２記録部３６から消去することで、データ容量を小さくして送信に要する時間を短縮できる。また、重複記録防止処理の実行によるロギング部３７への記録の煩雑化を防止できる。
【００４１】
処理完了通知に消去指令を含ませた場合、監視装置４（４Ａ・４Ｂ）のいずれか一方側に通信障害あるいは機器障害が生じていた場合、障害の生じていない他方側から消去指令を含む処理完了通知が通信ユニット７へ発信されるため、障害が回復したとしても障害が生じていた側の監視装置４は、障害継続時のイベントデータをロギングユニット３７に記録することができない。しかし、図１に破線で示すように、端末装置４Ｂをインターネット３Ａに接続しておくことにより、外部サーバー４Ａと端末装置４Ｂとの間で、ロギングユニット３７Ａ・３７Ｂに記録されているロギングデータのミラーリングを行うことができる。本実施例のように、監視装置４を外部サーバー４Ａと端末装置４Ｂとで構成することにより、ロギング部３７Ａ・３７Ｂに生成されるロギングデータを互いに補完して、不足分のサンプリングデータおよびイベントデータを補い、ロギングデータの信頼性をより向上させることができる。
【００４２】
以上のように、本実施例に係る監視システムにおいては、サンプリングデータおよびイベントデータを、内部記録部３３の異なる記録領域にそれぞれ記録するように冷却庫制御装置２を構成した。具体的には、内部記録部３３は、異なる記録媒体で構成される第１記録部３５と第２記録部３６とを備え、第１記録部３５に、生成されたサンプリングデータが記録され、第２記録部３６に、生成されたイベントデータが記録されるように構成した。こうした冷却庫制御装置２によれば、頻繁に生成されるサンプリングデータでイベントデータが上書きされるのを回避して、重要なイベントデータが消失するのを防止できる。また、通信回線３や監視装置４に何らかの障害が生じ、測定データ記録手段３３に記録されている各データが監視装置４へ送信できない状態においても、先に説明したようにサンプリングデータおよびイベントデータが生成される都度、第１記録部３５および第２記録部３６（内部記録部３３）にそれぞれ記録される。そのため、障害が回復したのち、第１記録部３５および第２記録部３６に記録されているサンプリングデータおよびイベントデータを、通信回線３を介して監視装置４へ送信することで、監視装置４は保存を求められている重要なイベントデータを確実に取得できる。以上のように、本実施例によれば、事業者が保存を求められている重要なイベントデータを確実に取得でき、監視装置４に信頼度の高いロギングデータを記録できる。
【００４３】
また、サンプリングデータの記録領域とイベントデータの記録領域とを物理的に隔離できるので、サンプリングデータでイベントデータが上書きされることを防止できる。また、イベント発生時に生成されるイベントデータは、サンプリング毎に生成されるサンプリングデータに比べて、生成される頻度が低い。そのため、第１記録部３５と第２記録部３６とを異なる記録媒体で構成することで、サンプリングデータによって、イベントデータの記録領域が逼迫するのを防止して、イベントデータを確実に記録できる。以上により、本実施例によれば、通信回線３あるいは監視装置４に障害が生じた場合でも、障害回復後にイベント発生時の重要なイベントデータを確実に監視装置４へと送信して、重要なイベントデータが上書きされることのない信頼性に優れた冷温装置の監視システムとすることができる。
【００４４】
上記の実施例以外に、第１記録部３５は、サンプリングデータおよびイベントデータを上書き記録する必要はなく、複数のサンプリングデータおよびイベントデータが記録されるようにしてもよい。この場合においても、上記実施例と同様に重要なイベントデータを監視装置４へと確実に送信して、監視装置４に信頼度の高いロギングデータを生成できる。サンプリングデータおよびイベントデータに含まれる測定データ等は、実施例で記載したものに限られず、また監視対象に応じて適宜変更することができる。イベントは監視対象の冷温装置に対応したものを設定して、各機器における重要なイベント時にイベントデータを生成するようにする。
【００４５】
上記の実施例においては、急速冷却庫で説明したが、食品に対して加熱処理を行う食品加工装置であるスチームコンベクションオーブン、定温貯蔵装置である家庭用、業務用、プレハブ型の冷蔵庫、冷凍庫、または温蔵庫、あるいは冷蔵、冷凍、または温蔵のオープンショーケースなどの監視システムに適用できる。また、これらのうちの複数種の冷温装置を一括して管理することもできる。本発明は、厳しい温度管理が要求される検食用フリーザーの監視システムとして適用でき、衛生検査用に冷凍保存される食品（検食）の冷凍状況及び保管状況を後日確認するのに適している。
【符号の説明】
【００４６】
２  機器制御装置（冷却庫制御装置）
３  通信回線
４  監視装置
７  通信ユニット
３３  測定データ記録手段（内部記録部）
３５  第１記録手段（第１記録部）
３６  第２記録手段（第２記録部）
３７  取得データ記録手段（ロギング部）
【図１】
2019074280.tif 000003
【図２】
2019074280.tif 000004